(57)【特許請求の範囲】
【請求項１】
実験動物用の飼育ケージを縦と横に多数個並べて飼育ケージ・ユニットを形成し、一対の前記飼育ケージ・ユニットの間にファン・ユニットを併設して前記各飼育ケージの室内を換気する実験動物用飼育ケージ換気システムにおいて、
一対の前記飼育ケージ・ユニットと、一対の前記飼育ケージ・ユニットの間に配置された前記ファン・ユニットとによって、一組の単位飼育ゲージ換気ユニットが構成され、
前記飼育ケージ・ユニットの外側左右に縦型のブランチ・ダクトを設け、この前記ブランチ・ダクトの中央を縦方向に二分割して一方を給気領域、他方を排気領域とし、
左側と右側の前記ブランチ・ダクトの給気領域同士を、横方向に配管した給気用バイパス・ダクトにより接続し、前記また左側と右側の前記ブランチ・ダクトの排気領域同士を、横方向に配管した排気用バイパス・ダクトにより接続し、
さらに前記給気用バイパス・ダクトと前記排気用バイパス・ダクトに吹出し口と吸込み口を、また前記各飼育ケージの上面に給気口と排気口を、それぞれ設け、これら前記吹出し口と前記給気口を、また前記吸込み口と前記排気口を、それぞれ接続し、
しかして前記ファン・ユニットを前記飼育ケージ・ユニットと離して地上に置き、ファン・ユニットのエア送出側を前記ブランチ・ダクトの給気領域に、また前記ファン・ユニットのエア吸入側を前記ブランチ・ダクトの排気領域にそれぞれ接続して、これにより前記各飼育ケージの室内を換気することを特徴とする実験動物用飼育ケージ換気システム。
【発明の詳細な説明】
【技術分野】
【０００１】
本発明は、供給用外気への殺菌手段を備えた実験動物用飼育ケージに使用される換気システムに関する。
【背景技術】
【０００２】
従来、感染隔離において、実験動物の換気飼育ユニットに関しては、感染を防止する為に種々のものが提案されてきた。例えば、動物が収容されている室内へ人が入ってもエアーカーテンによって仕切られ、ヒトから動物へ又は動物からヒトへの感染を防止するものが考えられている。この場合には、動物域内へ吹き出す空気は、ヒトとは分離されて殺菌されて飼育内を循環するので、菌の出入りは防止できるものである。この場合、エアーカーテンの装置を飼育室内全部に設ける必要がある。そして、各飼育ユニットに対して、換気をすることが飼育管理上必要であり、その換気用送風装置が設けられている。
【０００３】
又、殺菌用のボックス内の構造としては、
（１）殺菌ボックスの内部に活性炭層、光触媒層、紫外線等の空気中の殺菌・脱臭手段を設けたものがある（例えば、特開昭６３−３１５１３８号公報参照）。
【０００４】
（２）殺菌ボックスの内部に電気集塵機、オゾン発生器、オゾン分解触媒を設けたものがある（例えば、特開平２−４８０５０号公報参照）。
【０００５】
（３）空気清浄器の内部にオゾン発生器、陰イオン発生器を備え、殺菌・脱臭手段を設けたものがある（例えば、特開平４−２６０７３２号公報参照）。
【０００６】
（４）殺菌ボックスの内部に、紫外線ランプを備え、殺菌・脱臭を設けたものがある（例えば、特開平７−２３９１４０号公報参照）。
【０００７】
（５）殺菌ボックスの内部に、オゾン発生器、オゾン分解触媒の外に、銀ゼオライト等の抗菌剤入りのシートフィルター等を備えるものがある（例えば、特開平６−３２３５７１号公報参照）。
（６）殺菌ボックス内部又は内壁、ファン、フィルター等の表面に、銀ゼオライト等の抗菌剤入りのシートフィルターを貼るか塗膜を形成したものがある（例えば、特開平５−５５１７６号公報参照）。
【０００８】
このような実験動物用飼育の個別の換気飼育ケージ・ユニットには、ファン・ユニット装置が使用されており、送風機としては、遠心型送風機がその昇圧能力のために使用されている。そして、風量制御が行なわれるが、その為に、吐出し側の短径ダクト又はホッパーダクトを設けてから、対向羽根式、斜形羽根式、スイング式等のダンパーからなる絞り機構を設け、設置後要求風量に調整していた。
【０００９】
これらファン・ユニット装置（１）は、図１に示されるように、ケージ・ユニットの上部に据付けられており、そこから、ユニット両側に供給用ダクトを通して送られる。ファン・ユニット装置は、吐出し口が直ぐに供給用ダクトへつながっている。両側には、供給用ダクトとつながる配送用ダクトがあり、配送用ダクトには、飼育ケージの室内へ送気する孔が開いており、そこから、換気用の空気が送られる。
しかしながら、ファン・ユニット（１）は、通常ケージ・ユニットの上部に据付けられているので、上部の供給用ダクトを通して両側へ均等に給気することは難しかった。
【００１０】
【特許文献１】特開平６−２５７７８９号公報
【特許文献２】特開平６−６２６９６号公報
【特許文献３】特開平９−２５２６７６号公報
【特許文献４】特開平２００５−６６１８号公報
【特許文献５】特開平８−３１９９９５号公報
【特許文献６】特開平９−１５８８９８号公報
【特許文献７】特開２００４−６８６４４号公報
【発明の開示】
【発明が解決しようとする課題】
【００１１】
上記実験用動物の飼育用としの換気の為のケージ・ユニットに使用されるファン・ユニットは、単数の飼育ケージ・ユニット又は複数の飼育ケージ・ユニットに対して、有効な換気を行うシステムが望まれていた。
ところが、今までは、送風機からのダクトによる送気を均等に両側の給気筒へ送ることは容易ではなかった。又送風機をケージ・ユニットの上側に載せてあるので送風機の振動がケージ・ユニットに伝わり、飼育動物に好ましくない影響も与えていた。
【００１２】
このように各飼育ケージ・ユニットには、飼育上で均等な換気を行うことが飼育動物の管理上求められていたにもかかわらず、その実現は困難であった。
【００１３】
本発明は、上記課題を解決するために、従来送風機から送られる風量を均等に配分することで、実験動物の飼育及び保育に適した安定した換気圧力と風量を備えた換気飼育ケージ・ユニットにおける換気システムを得ることを目的とする。
【課題を解決するための手段】
【００１４】
本発明は、上記課題を解決するために、実験動物用の飼育ケージを縦と横に多数個並べて飼育ケージ・ユニットを形成し、この飼育ケージ・ユニットにファン・ユニットを併設して各飼育ケージの室内を換気する実験動物用飼育ケージ換気システムにおいて、飼育ケージ・ユニットの外側左右に縦型のブランチ・ダクトを設け、このブランチ・ダクトの中央を縦方向に二分割して一方を給気領域、他方を排気領域とし、左側と右側のブランチ・ダクトの給気領域同士を、横方向に配管した給気用バイパス・ダクトにより接続し、また左側と右側のブランチ・ダクトの排気領域同士を、横方向に配管した排気用バイパス・ダクトにより接続し、さらに給気用バイパス・ダクトと排気用バイパス・ダクトに吹出し口と吸込み口を、また各飼育ケージの上面に給気口と排気口を、それぞれ設け、これら吹出し口と給気口を、また吸込み口と排気口を、それぞれ接続し、しかして前記ファン・ユニットを飼育ケージ・ユニットと離して地上に置き、ファン・ユニットのエア送出側を前記ブランチ・ダクトの給気領域に、またファン・ユニットのエア吸入側を前記ブランチ・ダクトの排気領域にそれぞれ接続して、これにより各飼育ケージの室内を換気する実験動物用飼育ケージ換気システムを提供する。
【発明の効果】
【００１５】
本発明の効果は、ケージ・ユニットに対して、均等に安定した換気をすることが可能となり、実験動物の管理が容易となり成長を保障することができるようになった。更に、風量・風圧が均等にできるので、制御が簡単となり、ケージ・ユニットの飼育動物にとって、全体の管理が容易に統括でき、且つ温度制御も簡単となる。
【発明を実施するための最良の形態】
【００１６】
本発明の実施の形態を図に基づいて説明する。
図２は、本発明の１実施例である換気システムの全体を示す。
【００１７】
飼育ケージ・ユニット（６）は、複数の飼育ケージ（７）を備えており、これらの飼育ケージ（７）は吊り下げられ、縦と横に多数個並べて配置されている。図３に示すように、各飼育ケージ（７）内には、実験動物としてモルモット、マウス、ラット、ローデンツ等が収容されている。
【００１８】
図２に示すように、飼育ケージ・ユニット（６）を左右に２ユニット設け、換気のための送風機を含むファン・ユニット装置（１）を両ユニット（６）の間の地上に備え、ファン・ユニット装置（１）より飼育ケージ（７）に予め殺菌された空気を送る。
飼育ケージ・ユニット（６）の内部は、例えば、無機系抗菌剤又は光触媒を塗料化したものを内外面に焼付塗装した抗菌鋼板をケーシングとして、ハウジングを構成することができる。また、これら内部側の表面には、抗菌剤を塗膜などに含有させて保持することもできる。この場合、抗菌剤を塗料などの中に含有させて、焼付塗装、ローラ塗り、吹き付けなどにより施工する。
【００１９】
抗菌剤として、銀、酸化亜鉛、銅などの無機質材又は有機系のものを単独で、又は混合して用いる。抗菌剤の作用により、塗膜などの表面上または表面近くの細菌、カビなどの微生物の増殖は抑止され、減少して滅菌することができる。
【００２０】
図２に示すように、送風路は、ファン・ユニット装置（１）より、各飼育ケージ（７）に対して延伸しており、ファン・ユニット装置（１）から給排気用の管路（６３０，６３１）を通して、各飼育ケージ・ユニット（６）の両側に設けられるブランチ・ダクト（６１０）（６１０）へ繋がっている。
図２に示すように、ブランチ・ダクト（６１０）（６１０）は中央を縦方向に二分割されており、一方が給気領域であり、他方が排気領域である。図２では、前方が給気領域、後方が排気領域である。給気は、給気管（６３０）を介してファン・ユニット装置（１）からブランチ・ダクト（６１０）の給気領域へと送る。排気は、排気管（６３１）によってファン・ユニット装置（１）へ戻し循環させる。
供給主管路（６０１）が、各飼育ケージ・ユニット（６）上の配置されており、該供給主管路（６０１）からは、ブランチ・ダクト（６１０）（６１０）のうちの一つ（ファン・ユニット装置（１）から遠い位置にある側）の給気領域へ送気される。
ブランチ・ダクト（６１０）（６１０）のうちの他の一つ（ファン・ユニット装置（１）に近い位置にある側）の給気領域は、給気管（６３０）と直接繋がっている。
【００２１】
ブランチ・ダクト（６１０）（６１０）は、各飼育ケージ・ユニット（６）の両側に設けられており、該ユニット（６）の側壁にそって長く伸びている。
なお、供給主管路（６０１）は、ダクトであっても構わない。
又、供給戻り管路（６０２）は、ブランチ・ダクト（６１０）（６１０）から、ファン・ユニット装置（１）へ戻っていく。
この場合、ファン・ユニット装置（１）は、密閉されているので、外部からの殺菌されてない空気が入る恐れはない。又、外から空気を補充する場合には、吸込口の上流方向に殺菌装置（図示せず）が設けられる。
【００２２】
ブランチ・ダクト（６１０）の給気領域は給気用バイパス・ダクト（６２１）に、排気領域は排気用バイパス・ダクト（６２２）にそれぞれ接続する。
この例では，給気はプラス圧となっているが、逆にマイナス圧として吸引することも可能である。この場合には送風機の吸い込み側へ繋ぎ、他方を吐き出し側に繋ぐことになるが、マイナス圧とした場合、飼育ケージ（７）から、外部に漏れることがなく感染上このましい。
【００２３】
飼育ケージ（７）を吊り下げ、飼育ケージ（７）のパイプ（７ａ）（７ｂ）とバイパス・ダクト（６２１）（６２２）の床に設けられた送排気孔とを各々つなげて、送排気を行なう。
送気後の空気は、戻り管（６３１）により、送風機部（２）へ戻る。
【００２４】
吊りさげるには、図３の（２）に示されるパイプ（７ａ）（７ｂ）によって兼務させることもできる。その場合、特別、施工による吊り下げ具を省く事ができる。
【００２５】
送風の状態は、図２に示すように、ファン・ユニット装置（１）の送風機部（２）の吐出口より、供給主管路（６０１）を経て両側の筒状の給気領域のブランチ・ダクト（６１０）（６１０）を通して各飼育ケージ（７）に対して送風される。
なお、ダクト等は管路であっても構わない。要は、空気を送れる送気路であればよい。
【００２６】
送風機部（２）からの送気は、その供給主管路（６０１）が両側の給気領域のブランチ・ダクト（６１０）（６１０）の上側に連結されるのがよい。これは、順次ケージ（７）へ送気される圧損を考えれば、好ましいものであり、両側の給気ダクトが各ケージ（７）まで各連絡しているのは、この上側からの送気による圧損を補給する為でもある。
この場合も、ファン・ユニット装置（１）は、複数の換気飼育ケージ・ユニット（６）の真ん中に、図５の（１）に示すように設置するのが好ましいのは、前記した通りである。
【００２７】
本発明は、実験動物用の飼育ケージを縦と横に多数個並べて飼育ケージ・ユニットを形成し、一対の前記飼育ケージ・ユニットの間にファン・ユニットを併設して前記各飼育ケージの室内を換気する実験動物用飼育ケージ換気システムにおいて、一対の前記飼育ケージ・ユニットと、一対の前記飼育ケージ・ユニットの間に配置された前記ファン・ユニットとによって、一組の単位飼育ゲージ換気ユニットが構成され、前記飼育ケージ・ユニットの外側左右に縦型のブランチ・ダクトを設け、この前記ブランチ・ダクトの中央を縦方向に二分割して一方を給気領域、他方を排気領域とし、左側と右側の前記ブランチ・ダクトの給気領域同士を、横方向に配管した給気用バイパス・ダクトにより接続し、前記また左側と右側の前記ブランチ・ダクトの排気領域同士を、横方向に配管した排気用バイパス・ダクトにより接続し、さらに前記給気用バイパス・ダクトと前記排気用バイパス・ダクトに吹出し口と吸込み口を、また前記各飼育ケージの上面に給気口と排気口を、それぞれ設け、これら前記吹出し口と前記給気口を、また前記吸込み口と前記排気口を、それぞれ接続し、しかして前記ファン・ユニットを前記飼育ケージ・ユニットと離して地上に置き、ファン・ユニットのエア送出側を前記ブランチ・ダクトの給気領域に、また前記ファン・ユニットのエア吸入側を前記ブランチ・ダクトの排気領域にそれぞれ接続して、これにより前記各飼育ケージの室内を換気することを特徴とする実験動物用飼育ケージ換気システムによって、前記目的を達成するものである。
【００２８】
図５の（３）に示されるものは、複数の飼育ケージ・ユニット（６）に対して、並列に配置されたものに対して、その両側にファン・ユニット装置（１）を各配置するもので、この場合には、より均等な風圧・風量を供給することが可能となる。
【００２９】
又、図４はファン・ユニット装置（１）内の構成であるが、送風機部（２）の吐出口（２０１）から、直ちにダクト（５）（５）より送るのではなく、吐出口（２０１）から、均圧空間（１０１）を設ければ、ダクト（５）（５）から送気する場合、圧力は均等化され送気されることになる。
【００３０】
なお、前記各実施例ではダクトとして説明してきたが、必要に応じ、パイプや管路であっても構わない。
但し、ダクトの場合は、飼育ケージ・ユニット（６）の側壁に対して、ピッタリと密着できる利点があり、取り付けも簡単で見てくれも良い。
【００３１】
このようなファン・システムは、常に清浄で飼育動物にとって好ましい換気を行わねばならないが、飼育される動物にとって均一で脈動のない安定した換気が望まれるのである。飼育動物は、環境の変化に鋭敏であるものも少なくなく、安定した風量が一番好ましいからである。
【００３２】
この実施例では、送風機は、遠心型送風機が用いられているが、他の遠心型の、例えば、多翼型遠心型送風機（シロッコ型）であっても構わない。
【００３３】
又、その他の送風機としては、横流ファン（貫流ファンともいう）も挙げられる。この場合には、２次元流れとなるので、その設置方法は、エアーカーテンに使用されているように、線状に配置できる利点がある。
なお、遠心型ファンのシロッコファンでも可だが、横流れファンや軸流ファンでも採用しえるのは勿論である。特に横流ファンを使用すれば、横長の給気口や排気口にたいして合致したものとすることができて有効である。
【００３４】
以上実施例をもって説明してきたが、これら実施例に限定されることなく、本発明の技術思想の範囲内で、当業者によって、種々に変形することが可能であることは勿論である。
【図面の簡単な説明】
【００３５】
【図１】換気飼育ケージ・ユニット全体を含む今までの例を示す。
【図２】本発明の換気飼育ケージ・ユニットにおける換気システムの１実施例を示す。
【図３】本発明の換気飼育ケージ・ユニットにおける飼育される実験動物のケージの例を示す。
【図４】ファン・ユニット装置内の構成を示す。
【図５】本発明の換気飼育ケージ・ユニットにおける換気システムの１又は複数の配列の各実施例を示す。
【符号の説明】
【００３６】
１  ファン・ユニット装置
２  送風機部
６  飼育ケージ・ユニット
６１０  ブランチ・ダクト
７  飼育ケージ
【図２】
0005606716.tif 000002
【図３】
0005606716.tif 000003
【図４】
0005606716.tif 000004
【図５】
0005606716.tif 000005
【図１】
0005606716.tif 000006